(57)【要約】【課題】浄水器用原水供給装置において、水道配管を連結しにくい所でも浄水器を容易に使用できるようにする。【解決手段】本発明の一つの実施例による原水供給装置(200)は、水を圧送して浄水器(300)に上記の水を供給するポンプ(210)、浄水器(300)に供給される水の圧力によってスィッチを開閉し、上記のポンプ(210)の動作を制御する圧力スィッチ(220)、ポンプ(210)に入力される電圧を定格電圧に変換するアダプダ(230)、そして水が流入される入水口(201)と上記の水が出水される出水口(202)を含めるハウジング(270)を含む。【選択図】図２
2016147209.tif 000002
【特許請求の範囲】
【請求項１】
水を圧送して浄水器に上記の水を供給するポンプ、
上記の浄水器に供給される水の圧力によってスィッチを開閉し、上記のポンプの動作を制御する圧力スィッチ、
上記のポンプに入力される電圧を定格電圧に変換するアダプダ、そして上記の水が流入される入水口と上記の水が出水される出水口を含むハウジングを含む原水供給装置。
【請求項２】
請求項１で、上記のポンプから圧送された水を一時的に保存する圧力タンクをさらに含める原水供給装置。
【請求項３】
請求項１で、上記の圧力スィッチは、上記の浄水器に供給される水の圧力があらかじめ決められた圧力以上の場合に上記のスィッチを開いて上記のポンプの動作を停止させ、上記のあらかじめ決められた圧力未満の場合に上記のスィッチを閉めて上記のポンプを稼動させる原水供給装置。
【請求項４】
請求項３で、上記のあらかじめ決められた圧力は０．５ｋｇ／ｃｍ 2ないし６．０ｋｇ／ｃｍ 2の原水供給装置。
【請求項５】
請求項１で、上記の圧力スィッチは、
上記の水が流入される入水口と上記の水が出水される出水口を含む本体、
接点が開放または連結されて上記のポンプに入力される電圧を制御するマイクロスィッチ、
上記の水の圧力によって上記のマイクロスィッチのアクチュエータを押して上記の接点を開放させるレバー、
上記のレバーを押す弾性体、そして上記のレバーを押し上げるダイアフラムを含む原水供給装置。
【請求項６】
請求項５で、上記の水の圧力があらかじめ設定された圧力以上の場合、上記のダイアフラムが上記のレバーを押し上げ、上記のレバーが上記のマイクロスィッチのアクチュエータを押し、上記の接点を開放させ、そして上記ポンプに入力される電圧を遮断させる原水供給装置。
【請求項７】
請求項１で、上記の水を保存して上記の水を上記のポンプで供給する原水タンクをさらに含める原水供給装置。
【請求項８】
請求項１で、原水タンクの水位に基づいて上記のポンプの動作を制御する制御部、そして上記の原水タンクの水位状態を視覚的に現わすＬＥＤをさらに含める原水供給装置。
【請求項９】
請求項８で、上記の制御部は、上記の原水タンクの水位値があらかじめ設定された水位値以下の場合に上記のポンプの動作を停止させ、上記の水位値が上記のあらかじめ設定された水位値を超過した場合に上記のポンプを稼動させる原水供給装置。
【請求項１０】
請求項８で、上記の制御部によって上記の水は、上記の浄水器に自動的に供給される原水供給装置。
【発明の詳細な説明】
【技術分野】
【０００１】
浄水器用原水供給装置が提供される。
【背景技術】
【０００２】
室内または室外で使用される浄水器は一般的に水道配管に連結されて原水(raw water)が供給された後、原水を浄化し使用者に浄化された水を供給する。
【０００３】
しかし、浄水器に水道配管を連結しにくい所では浄水器を使用することが難しいことがある。また、浄水器に水道配管を連結する場合、配管漏水による被害が発生することがある。
【０００４】
浄水器は原水を浄化させるためのフィルターとフィルターリングされた水を使用者に提供するための貯水容器などで構成される。
【０００５】
浄水器は一般的に貯水容器に保存された水の水位を基に原水遮断バルブを動作させて原水供給を調節する。しかし、原水遮断バルブの開閉によって原水が浄水器に供給されることによって、浄水器内に流入される原水の圧力が高くなるため浄水器部品が損傷し、浄水器が故障することがある。また、浄水器に流入される原水の圧力を調節しにくいことがある。
【発明の概要】
【発明が解決しようとする課題】
【０００６】
本発明の一つの実施例は、水道配管を連結しにくい所でも浄水器を容易に使うためのものである。
【０００７】
本発明の一つの実施例は、配管漏水による被害を減らすためのものである。
【０００８】
本発明の一つの実施例は、使用者の使用便宜性を増大するためのものである。
【０００９】
本発明の一つの実施例は、浄水器部品の寿命を延長させるためのものである。
【００１０】
本発明の一つの実施は、浄水器に流入される原水の圧力を制御して原水を自動供給するためのものである。
【００１１】
上記の課題以外にも具体的に言及されなかった他の課題を果たすために本発明による実施例が使われることがある。
【課題を解決するための手段】
【００１２】
本発明の一つの実施例による原水供給装置は、水を圧送して浄水器に上記の水を供給するポンプ、浄水器に供給される水の圧力によってスィッチが開閉して上記ポンプの動作を制御する圧力スィッチ、ポンプに入力される電圧を定格電圧に変換するアダプダ、そして水が流入される入水口と上記水が出水される出水口を含むハウジングを含む。
【００１３】
これに、ポンプから圧送された水を一時的に保存する圧力タンクをさらに含めることもできる。
【００１４】
また、圧力スィッチは浄水器に供給される水の圧力があらかじめ決められた圧力以上の場合、スイッチを開けてポンプの作動を停止させ、あらかじめ決められた圧力未満の場合、スイッチを閉じてポンプを稼動させることができる。
【００１５】
また、あらかじめ決められた圧力は０．５ｋｇ／ｃｍ 2ないし６．０ｋｇ／ｃｍ 2にすることができる。
【００１６】
また、圧力スィッチは水が流入される入水口と水が出水される出水口を含む本体、接点が開放または連結され、ポンプに入力される電圧を制御するマイクロスィッチ、水の圧力によってマイクロスィッチのアクチュエータを押して接点を開放させるレバー、レバーを押す弾性体、そしてレバーを押し上げるダイアプラムを含めることができる。
【００１７】
ここで、水の圧力があらかじめ設定された圧力以上の場合、ダイアプラムがレバーを押し上げて、レバーがマイクロスィッチのアクチュエータを押して接点を開放させ、ポンプに入力される電圧を遮断させることができる。
【００１８】
原水供給装置は、水を貯蔵して上記の水を上記のポンプに供給する原水タンクをさらに含めることができる。
【００１９】
原水供給装置は、原水タンクの水位を基にポンプ動作を制御する制御部、そして原水タンクの水位状態を視覚的に現わすＬＥＤをさらに含めることができる。
【００２０】
ここで、制御部は、原水タンクの水位があらかじめ設定された水位以下の場合にポンプ動作を停止させて、水位があらかじめ設定された水位を超えた場合にポンプを稼動させることができる。
【００２１】
また、制御部によって水は浄水器に自動的に供給させることができる。
【発明の効果】
【００２２】
本発明の一つの実施例は、水道配管を連結しにくい所でも浄水器を容易に使用することができ、配管漏水による被害を減らすことができ、使用者の使用便宜性を増大させることができ、浄水器部品の使用寿命を延長させることができ、浄水器に流入される原水の圧力を制御することができ、原水を自動的に供給することができる。
【図面の簡単な説明】
【００２３】
【図１】本発明の一つの実施例による浄水器用原水供給システムの概略的な構成図である。
【図２】本発明の一つの実施例による原水供給装置の構成図である。
【図３】本発明の一つの実施例による圧力スィッチの斜視図である。
【図４】本発明の一つの実施例による圧力スィッチの分解斜視図である。
【図５】本発明の一つの実施例による原水供給装置の構成図である。
【発明を実施するための形態】
【００２４】
添付した図面を参照にし、本発明の実施例に対して、本発明が属する技術分野で通常の知識を持った者が容易に実施できるように詳しく説明する。本発明は、さまざまな違う形態に具現することができ、ここで説明する実施例に限定されていない。図面で本発明を明確に説明するために、説明と無関係な部分は省略し、明細書全体を通じて同一または類似の構成要素に対しては、同一図面符号が使用された。また広く知られている公知技術の場合、その具体的な説明は省略する。
【００２５】
明細書全体でどの部分がどの構成要素を"含む"とする時、これは特別に反対記載がない限り、他の構成要素を除くのではなく、他の構成要素をさらに含めることができることを意味する。また、明細書に記載した"．．．部"の用語は少なくとも一つの機能や動作を処理する単位を意味し、これはハードウェアやソフトウェアまたはハードウェア及びソフトウェアの結合によって具現させることができる。
【００２６】
図１は、本発明の一つの実施例による浄水器用原水供給システムの概略的な構成図である。
【００２７】
浄水器用原水供給システムは、建物内部または外部に置いて浄水器(300)に供給される原水を保存する原水タンク(100)、原水タンク(100)に保存された原水を浄水器(300)に供給するための原水供給装置(200)、そして流入された原水を浄化して使用者に浄水を提供する浄水器(300)を含む。
【００２８】
浄水器用原水供給システムは、水道配管に連結されていない。これによって、水道配管を連結しにくい場所でも浄水器(100)を容易に使用することができ、配管漏水による被害を減らすことができる。また、従来の水道配管用浄水器にも水道配管を連結しないで、本発明の一つの実施例による原水供給装置を連結することができるので、使用者の使用便宜性が増大させることができる。
【００２９】
浄水器(300)は、流入された原水を浄化して浄水を供給する装置で、その構成は特別に制限されない。例えば、浄水器(300)は、原水を浄化するためのフィルター部(310)、フィルターリングされた水を保存する貯水槽(320)、そして貯水槽(320)の水位を基に浄水器(300)に流入される水を遮断する遮断バルブ(330)を含む。
【００３０】
遮断バルブ(330)は、貯水槽(320)に具備された高水位感知センサー(321)及び低水位感知センサー(322)で感知された水位があらかじめ決められた水位以上の場合に浄水器(300)に流入される水を遮断することができる。例えば、貯水槽(320)の水が高水位感知センサー(321)によって感知される高さまで供給された場合、遮断バルブ(330)が閉まって浄水器(300)に水が流入されないようにすることができる。貯水槽(320)の水が低水位感知センサー(322)によって感知される高さまで残っている場合、遮断バルブ(330)が開かれて浄水器(300)に水が流入されるようにすることができる。
【００３１】
原水タンク(100)は、原水(raw water)が入っている保存容器であり、原水をポンプ(210)に供給する。原水タンク(100)は、原水供給装置(200)の内部または外部に位置することができる。
【００３２】
原水供給装置(200)は、浄水器(300)の遮断バルブ(330)の開閉によって浄水器(300)に流入される原水の圧力を一定に維持させ、浄水器(300)の部品故障の発生を減らすことができ、浄水器(300)部品の使用寿命を延長させることができる。
【００３３】
原水供給装置(200)は、浄水器(300)に流入される原水の圧力を決まった範囲内の圧力で制御し、原水を浄水器(300)に自動で供給することができる。
【００３４】
以下では図２から図５を参照にして原水供給装置(200)に対して詳しく説明する。
【００３５】
図２は、本発明の一つの実施例による原水供給装置の構成図である。図３は、本発明の一つの実施例による圧力スィッチの斜視図である。図４は、本発明の一つの実施例による圧力スィッチの分解斜視図である。図５は、本発明の一つの実施例による原水供給装置の構成図である。
【００３６】
図２の原水供給装置(200)は、ポンプ(210)、圧力スィッチ(220)、アダプダ(230)、圧力タンク(240)、そしてハウジング(270)を含む。
【００３７】
ポンプ(210)は、原水タンク(100)から原水を圧送して浄水器に原水を供給する。ポンプ(210)は、原水タンク(100)に保存された原水を圧送することができる容量の物を利用することできる。
【００３８】
圧力スィッチ(220)は、浄水器(300)に供給される水の圧力によってスィッチを開閉し、ポンプ(210)の動作を制御する。圧力スィッチ(220)は、浄水器(300)に供給される水の圧力があらかじめ決められた圧力以上の場合にスィッチを開いてポンプ(210)の動作を停止させることができ、あらかじめ決められた圧力未満の場合にスィッチを閉めてポンプ(210)を稼動させることができる。圧力スィッチ(220)によって原水が適切な水圧で円滑に供給されるようになる。例えば、あらかじめ決められた圧力は約０．５ｋｇ／ｃｍ 2ないし約６．０ｋｇ／ｃｍ 2にすることができ、このような範囲にある時、原水がもっと適切な水圧でもっと円滑に浄水器に供給されることができる。
【００３９】
圧力スィッチ(220)のスィッチが閉まる場合、アダプダ(230)で出力される電圧がポンプ(210)に入力され、ポンプ(210)を稼動させることができる。圧力スィッチ(220)のスィッチが開かれる場合、ポンプ(210)に入力される電圧が遮断され、ポンプ(210)の動作を止めることができる。
【００４０】
以下では図３から図４を参照に圧力スィッチ(220)の詳細な構造に対して説明する。
【００４１】
ポンプ(210)によって供給される水は、圧力スィッチ(220)の図３のＡ方向から入水しＢ方向に出水する。圧力スィッチ(220)は、圧力スィッチ(220)を通過する水の圧力によってスィッチを開閉する。
【００４２】
圧力スィッチ(220)は、本体(221)、マイクロスイッチ(222)、弾性体(223)、ダイアフラム(diaphragm)(224)、レバー(lever)(225)を含む。
【００４３】
本体(221)は、水が流入される入水口(26)と水が出水される出水口(27)を含む。
【００４４】
マイクロスイッチ(222)は、水の圧力によって接点が開放または連結され、ポンプ(210)に入力される電圧を制御する。圧力スィッチ(220)を通過する水の圧力があらかじめ設定された圧力以上の場合にはマイクロスィッチ(222)の接点が開放され、ポンプ(210)に入力される電圧を遮断することができる。圧力スィッチ(220)を通過する水の圧力があらかじめ設定された圧力未満の場合には、マイクロスィッチ(222)の接点が連結され、ポンプ(210)に電圧を入力することができる。
【００４５】
レバー(225)は、ダイアフラム(224)と弾性体(223)の間に位置して、水の圧力によってマイクロスィッチ(222)のアクチュエータ(actuator)(226)を押してマイクロスイッチ(222)の接点を開放させる。レバー(225)は弾性体(223)の下側先端を支え、弾性体(223)を支えることができる。
【００４６】
弾性体(223)は、レバー(225)の上に位置して弾力でレバー(225)を押す。弾性体(223)の弾力がレバー(225)を押し上げる水の圧力より大きい場合、レバー（225）はマイクロスィッチ(222)のアクチュエータ(226)を押すことができない。しかし、弾性体(223)の弾力よりレバー(225)を押し上げる水の圧力が大きい場合、レバー(225)は、マイクロスィッチ(222)のアクチュエータ(226)を押すことができる。
【００４７】
よって、圧力スィッチ(220)は、本体(221)を通過する水の圧力があらかじめ設定された圧力以上の場合にレバー(225)が弾性体(223)を押し上げてマイクロスィッチ(222)のアクチュエータ(226)を押せるように一定の弾力を具備した弾性体(223)を含めることができる。例えば、弾性体(223)は、スプリングであることがある。
【００４８】
ダイアフラム(224)は、本体(221)とレバー(225)の間に位置して、水の圧力によってレバー(225)を押し上げる。ここで、ダイアフラム(224)はシリコーン、ゴムなどの材質であることがある。
【００４９】
例えば、本体(221)に流入される水の圧力が弾性体(223)の弾力より大きい場合、ダイアフラム(224)はダイアフラム(224)を押しているレバー(225)を押し上げることができる。レバー(225)が上がってマイクロスィッチ(222)のアクチュエータ(226)を押し、マイクロスイッチ(222)の接点を連結していた内部のスプリングが接点と離れ、接点を開放させることができる。この場合、圧力スィッチ(220)のスィッチが開かれ、ポンプ(210)に入力される電圧を遮断することができる。
【００５０】
この時、ポンプ(210)の作動が停止され、ポンプ(210)から供給される水の圧力が小くなる。水の圧力が弾性体(223)の弾力より小くなる場合、マイクロスィッチ(222)のアクチュエータ(226)を押していたレバー(225)が弾性体(223)の弾力により再び下がることができる。レバー(225)がマイクロスィッチ(222)のアクチュエータ(226)を押さない場合、マイクロスイッチ(222)の内部スプリングが再度接点と連結される。この場合、圧力スィッチ(220)のスィッチが閉まり、ポンプ(210)に電圧が入力されるようになる。
【００５１】
圧力スィッチ(220)は、ガイド(21)、支持部(22)、ケース(23)、ボルト(24)、ネジ(25)をさらに含めることができる。
【００５２】
ガイド(21)は、ダイアフラム(224)とレバー(225)の間に位置し、レバー(225)が左右に動くことを減らすことができる。ガイド(21)は、ダイアフラム(224)がレバー(225)をまっすぐ押し上げることができるようにレバー(225)をくるむ形態で形成することができる。
【００５３】
支持部(22)は、弾性体(223)とケース(23)の間に位置して弾性体(223)が左右に動かないように弾性体(223)を支える。
【００５４】
ケース(23)は、図３で見られるように本体(221)と結合してダイアフラム(224)、ガイド(21)、レバー(225)、弾性体(223)、支持部(22)、マイクロスイッチ(222)を覆うことができる。
【００５５】
ボルト(mud bolt)(24)は、ケース(23)に上部から入って行って支持部(22)とケース(23)を固定させることができる。ねじ(25)は、ケース(23)と本体(221)を固定させることができる。
【００５６】
アダプダ(230)は、ポンプ(210)に入力される電圧を定格電圧で変換する。たとえば、原水供給装置(200)を作動させるため、原水供給装置(200)のプラグが１００Ｖないし２５０Ｖの交流電圧が供給されるコンセントに繋がれた場合、アダプダ(230)は交流電圧をポンプ(210)を動作させるための定格電圧である２４Ｖの直流電圧で変換することができる。
【００５７】
圧力タンク(240)は、ポンプ(210)から圧送された水を一時的に保存する。圧力タンク(240)は、ポンプ(210)から圧送された水が圧力スィッチ(220)を通過する前に一時的に保存してポンプ(210)による脈動現象を低減させることができる。また、圧力タンク(240)は、圧力スィッチ(220)とポンプ(210)の反復起動で発生する騷音を減らし、脈動現象による圧力スィッチ(220)とポンプ(210)の動作を最小化して原水供給装置(200)の部品の使用寿命を延ばすことができる。
【００５８】
以下では図５の原水供給装置(200)に対して説明する。図５の原水供給装置(200)は、図２の原水供給装置(200)から制御部(250)及びＬＥＤ(260)をさらに含めている。
【００５９】
制御部(250)は、原水タンク(100)の水位を基に、ポンプ(210)動作を制御する。制御部(250)は、原水タンク(100)の水位を受信してあらかじめ設定された水位値以下の場合にポンプ(210)動作を停止させることができる。制御部(250)は、原水タンク(100)の水位感知センサー(101)から受信した水位値をあらかじめ設定された水位値段と比べて、受信した水位値があらかじめ設定された水位値以下の場合にポンプ(210)の動作を停止させることができる。
【００６０】
例えば、原水タンク(100)のほとんどの水が圧送されたら、ポンプ(210)が駆動しても圧送圧力が落ちるようになる。また、このような状態でポンプ(210)が継続駆動するとポンプ(210)が破損される恐れがあるのでポンプ(210)の動作を停止させてポンプ(210)の破損を防止することができる。
【００６１】
制御部(250)は、原水タンク(100)の水位感知センサー(101)から感知された水位値を無線通信方式で受信することができる。例えば、ワイファイ(wifi)通信、ブルートゥース(Bluetooth(登録商標))通信のような近距離無線通信を利用することができる。
【００６２】
制御部(250)は、圧力スィッチ(220)が圧力スィッチ(220)を通過する水の圧力に基づき、ポンプ(210)の動作を制御することと関係なく、原水タンク(100)の水位に基づき、ポンプ(210)の動作を制御することができる。
【００６３】
ＬＥＤ(260)は、原水タンク(100)の水位状態を視覚的に現わす。例えば、制御部(250)に送信された原水タンク(100)の水位値があらかじめ設定された水位値以下の場合、ＬＥＤ(260)の色を赤色にすることができる。使用者はＬＥＤ(260)の色が赤色に変わったことを確認して原水タンク(100)に水を補充することができる。また、ＬＥＤ(260)は、制御部(250)に送信された原水タンク(100)の水位値があらかじめ設定された水位値より大きい場合、ＬＥＤ(260)の色を緑色にすることができる。
【００６４】
制御部(250)は、原水タンク(100)の水位値があらかじめ設定された水位値を超過した場合、停止させたポンプを再度稼動させることができる。
【００６５】
ハウジング(270)は、水が流入される入水口(201)と水が出水される出水口(202)を含む。ハウジング(270)は、原水供給装置(200)の内部部品を外部から保護することができる。
【００６６】
原水供給装置(200)は、浄水器(300)に流入される原水の圧力を調節して一定に維持させることで浄水器(300)内部の部品故障発生を減らすことができ、浄水器(300)部品の使用寿命を延長させることができる。
【００６７】
原水供給装置(200)は、浄水器(300)と別個の独立的な装置で、浄水器(300)の種類を問わず、浄水器(300)のシステムに対する設計変更なしに浄水器(300)を原水供給装置(200)に連結して使用することができる。既存浄水器(300)システムに原水供給装置(200)を追加して設置することで場所と空間に対する制約なく浄水器(300)に流入される原水の圧力を調節することができる。
【００６８】
以上で本発明の望ましい実用例に対して詳細に説明したが、本発明の権利範囲は、これに限定されるのではなく、次の請求範囲で定義している本発明の基本概念を利用した当業者の多くの変形及び改良形態も本発明の権利範囲に属するものである。
【符号の説明】
【００６９】
100 : 原水タンク
200 : 原水供給装置
210 : ポンプ
220 : 圧力スィッチ
221 : 本体
222 : マイクロスイッチ
223 : 弾性体
224 : ダイアフラム
225 : レバー
226 : アクチュエータ
230 : アダプダ
240 : 圧力タンク
250 : 制御部
260 : ＬＥＤ
270 : ハウジング
300 : 浄水器
【図１】
2016147209.tif 000003
【図２】
2016147209.tif 000004
【図３】
2016147209.tif 000005
【図４】
2016147209.tif 000006
【図５】
2016147209.tif 000007